(57)【要約】【課題】水が掛かった場合でもＵＳＢ端子接続開口から本体内部の１次回路への水の進入を防ぐことができるＡＣアダプターを提供することを目的とする。【解決手段】出力端子としてＵＳＢ端子を有するＡＣアダプターにおいて、前記ＡＣアダプターを構成するハウジングは上ケースおよび下ケースからなり、前記上ケースおよび下ケースにそれぞれＵＳＢ端子を取り囲む形で防水リブを配置し、前記上ケースの防水リブと前記下ケースの防水リブとを超音波溶着で接合することにより成る前記ＵＳＢ端子の周りを取り囲む防水壁構造を設けたことを特徴とするＡＣアダプター。【選択図】図２
2013016288.tif 000002
【特許請求の範囲】
【請求項１】
出力端子としてＵＳＢ端子を有するＡＣアダプターにおいて、前記ＡＣアダプターを構成するハウジングは上ケースおよび下ケースからなり、前記上ケースおよび下ケースにそれぞれＵＳＢ端子を取り囲む防水リブを配置し、前記上ケースの防水リブと前記下ケースの防水リブとを超音波溶着で接合することにより成る前記ＵＳＢ端子の周りを取り囲む防水壁構造を設けたことを特徴とするＡＣアダプター。
【請求項２】
前記ＵＳＢ端子の実装されたＵＳＢ基板と前記ＵＳＢ端子以外の電気部品が実装されたメイン基板を有し、前記ＵＳＢ基板と前記メイン基板とはジャンパー線により結線されていることを特徴とする請求項１に記載のＡＣアダプター。
【請求項３】
前記上ケースの防水リブと前記下ケースの防水リブの少なくとも一方のリブ端面には前記ジャンパー線の通る切欠き溝が設けられていることを特徴とする請求項１または２に記載のＡＣアダプター。
【請求項４】
前記切欠き溝により形成される孔の断面積は、前記ジャンパー線の断面積に等しく設定されていることを特徴とする請求項３に記載のＡＣアダプター。
【発明の詳細な説明】
【技術分野】
【０００１】
本発明はＵＳＢ出力端子を有するＡＣアダプターに関するものである。
【背景技術】
【０００２】
従来のＡＣアダプターの一例を図８〜図１１に示す。
【０００３】
図８は従来例におけるＡＣアダプターの斜視図である。
【０００４】
図８においてＡＣアダプターのハウジングは上ケース２１と下ケース２２によって構成されている。ＡＣプラグ栓刃２３はＡＣコンセントに差込むことにより、ＡＣアダプターにＡＣ電源の入力を行なうものである。ＵＳＢ端子２４はＡＣアダプターからのＤＣ出力を外部機器へ伝達するためのものであり、外部機器からのＵＳＢプラグが接続される。
【０００５】
図９は従来例におけるＡＣアダプターの分解構成図である。接続端子２５はＡＣプラグ栓刃２３と係合し、ＡＣ入力を回路基板２６に導いている。
【０００６】
回路基板２６は電気回路部品（図示省略）が実装され、ＡＣ入力をＤＣ出力に変換を行なうものである。
【０００７】
基板押えリブ（上ケース側）３１および基板押えリブ（下ケース側）３２はそれぞれ上ケース２１と下ケース２２に設けられており、ＡＣアダプターのハウジング内に回路基板２６を固定するためのものである。溶着リブ３０は下ケース２２の端面すなわち上ケース２１端面との突き当て面に形成されおり、超音波溶着機により溶着リブ３０が溶かされて上ケース２１と下ケース２２の接合が行なわれる。
【０００８】
図１０は従来例におけるＡＣアダプターの平面断面図である。ＵＳＢ端子２４のハウジングにはＵＳＢ側面孔２９があいている。
【０００９】
これはＵＳＢ端子２４のハウジングに板バネを形成するためにあけられた孔である。回路基板２６上には１次回路２７と２次回路２８が設けられている。
【００１０】
図１１は従来例におけるＡＣアダプターの側面断面図である。
【００１１】
図１０および図１１において水の進路３３はＵＳＢ端子２４の接続開口から水が進入したときの水の進路を示す矢印である。このように従来例においては、外部からの水の進入に対する防水構造は設けられてはいなかった（例えば、特許文献１  参照）。
【先行技術文献】
【特許文献】
【００１２】
【特許文献１】特開２００７−２９５６８４号公報
【発明の概要】
【発明が解決しようとする課題】
【００１３】
しかしながら前記従来のＡＣアダプターにおいては、使用者が誤ってＡＣアダプターに水を掛けた場合にはＵＳＢ端子接続開口部から水が進入し、進入した水はＵＳＢ端子のハウジングにあいているＵＳＢ側面孔を通過してＡＣアダプター内部に進入し、回路基板に形成された１次回路へ到達する。これにより回路がショートを起こし、ＡＣアダプターの発熱や回路故障の原因になるという課題があった。
【課題を解決するための手段】
【００１４】
前記従来の課題を解決するために、本発明のＡＣアダプターは本体ハウジングが上ケースおよび下ケースからなり、前記上ケースおよび下ケースにそれぞれＵＳＢ端子を取り囲む形で防水リブを配置し、前記防水リブ同士を超音波溶着で接合することにより、ＵＳＢ端子の周りを取り囲む防水壁構造を構成しているものである。
【００１５】
ＵＳＢ端子を取り囲む防水壁を構成することにより、ＵＳＢ端子接続開口部から進入した水はＵＳＢ端子のハウジングにあいている孔を通過しても防水壁で流れが遮断されるため回路基板に形成された１次回路へ到達することがなくなることになる。
【発明の効果】
【００１６】
本発明によると、ＵＳＢ端子接続開口部から進入した水はＵＳＢ端子のハウジングにあいているＵＳＢ側面孔を通過しても防水壁で流れが遮断されるため、回路基板に形成された１次回路へ水が到達することがなくなるので、１次回路への水の付着による回路ショートを防止することが可能となり、回路部品の発熱や回路故障の心配のないＡＣアダプターを得ることができる。
【図面の簡単な説明】
【００１７】
【図１】本発明の実施の形態に示すＡＣアダプターの斜視図
【図２】本発明の実施の形態に示すＡＣアダプターの分解構成図（上方斜視図）
【図３】本発明の実施の形態に示すＡＣアダプターの溶着リブ拡大図
【図４】本発明の実施の形態に示すＡＣアダプターの分解構成図（下方斜視図）
【図５】本発明の実施の形態に示すＡＣアダプターの平面断面図
【図６】本発明の実施の形態に示すＡＣアダプターの側面断面図
【図７】本発明の実施の形態に示すＡＣアダプターの防水リブ切欠き溝説明図
【図８】従来例におけるＡＣアダプターの斜視図
【図９】従来例におけるＡＣアダプターの分解構成図
【図１０】従来例におけるＡＣアダプターの平面断面図
【図１１】従来例におけるＡＣアダプターの側面断面図
【発明を実施するための形態】
【００１８】
以下本発明を実施するための最良の形態について図面を参照しながら説明する。
【００１９】
（実施の形態）
図１は本発明の実施の形態におけるＡＣアダプターの斜視図である。
【００２０】
図１においてＡＣアダプターのハウジングは上ケース１と下ケース２によって構成されている。ＡＣプラグ栓刃３はＡＣコンセントに差込むことにより、ＡＣアダプターにＡＣ電源の入力を行なうものである。
【００２１】
ＵＳＢ端子４はＡＣアダプターからのＤＣ出力を外部機器へ伝達するためのものであり、外部機器からのＵＳＢプラグが接続される。
【００２２】
図２、図３、図４はそれぞれ本発明の実施の形態におけるＡＣアダプターの分解構成図（上方斜視図）、溶着リブ拡大図、分解構成図（下方斜視図）である。
【００２３】
接続端子５はＡＣプラグ栓刃３と係合し、ＡＣ入力をメイン基板７に導いている。
【００２４】
メイン基板７は電気回路部品（図示省略）が実装され、ＡＣ入力をＤＣ出力に変換を行なうものである。ＵＳＢ基板６上にはＵＳＢ端子４が実装されており、ジャンパー線８を介してメイン基板７と接続されている。
【００２５】
下ケース２に設けられた基板固定リブ（下ケース側）１１と、上ケース１に設けられた基板固定リブ（上ケース側）１３は共にＡＣアダプターのハウジング内にメイン基板７及びＵＳＢ基板６を固定するためのものである。
【００２６】
溶着リブ１０は下ケース２の端面すなわち上ケース１の端面との突合せ面に形成され、超音波溶着機により溶着リブ１０が溶かされて上ケース１と下ケース２の接合が行なわれる。
【００２７】
防水リブ（上ケース側）１２は上ケース１に、防水リブ（下ケース側）９は下ケース２にそれぞれ構成されており、防水リブ（上ケース側）１２の端面には図４に示すようにジャンパー線８が通るための切欠き溝（上ケース側）１９が形成されている。
【００２８】
また下ケース２の防水リブ（下ケース側）９の端面には図３に示すように溶着リブ１０及び、ジャンパー線８が通るための切欠き溝（下ケース側）２０が形成されている。下ケース２側に設けられた溶着リブ１０が超音波溶着機により溶かされることにより防水リブ（下ケース側）９と防水リブ（上ケース側）１２とが接合される。１４は排水孔であり、下ケース２の底面のＵＳＢ端子４の直下に配置されている。
【００２９】
図５は本発明の実施の形態に示すＡＣアダプターの平面断面図である。
【００３０】
ＵＳＢ側面孔１５はＵＳＢ端子４のハウジングにあいており、ＵＳＢ端子４のハウジングに板バネを形成するために設けられた孔である。ＵＳＢ端子４の接続開口部より進入した水の進路１８を図中に矢印で示している。
【００３１】
図６は本発明の実施の形態に示すＡＣアダプターの側面断面図であり、同じくＵＳＢ端子４の接続開口部より進入した水の進路１８を矢印で示している。
【００３２】
図７は本発明の実施の形態に示すＡＣアダプターの防水リブ切欠き溝説明図である。
【００３３】
上記の図を用いて、本実施の形態におけるＡＣアダプターの特徴を詳細に説明する。
【００３４】
ＵＳＢ出力端子付きＡＣアダプターは携帯電話やデジタルカメラ等のＡＣアダプターとして今日広く使用されている。
【００３５】
以下本発明におけるＡＣアダプターの動作を説明する。
【００３６】
ＡＣコンセントにＡＣプラグ栓刃３を差し込むとＡＣ入力が接続端子５を介してメイン基板７に導かれる。
【００３７】
メイン基板７に実装された電気回路（図示省略）によりＡＣ−ＤＣ変換が行なわれ、ＤＣ出力信号はジャンパー線８を通ってＵＳＢ基板６に導かれ、ＵＳＢ端子４に接続された外部機器からのＵＳＢケーブルへ出力される。
【００３８】
本ＡＣアダプターの基板の構成としては、万一ＵＳＢ端子４の接続開口部から水が進入した場合でもＵＳＢ基板６から先のメイン基板７上の１次回路１６への水の進入を防止するためにＵＳＢ端子４が実装されたＵＳＢ基板６がメイン基板７から分離した基板構成をとっている。
【００３９】
この独立したＵＳＢ基板６を取り囲む形で上ケース１と下ケース２にはそれぞれ防水リブ（上ケース側）１２と防止リブ（下ケース側）９が設けられ、この防水リブの突合せ面の下ケース２側に溶着リブ１０が設けられている。
【００４０】
ＡＣアダプターを組立てる際に上ケース１と下ケース２とを接合するためにケース外周に溶着リブ１０が形成されており、超音波溶着機によりこの溶着リブ１０が溶かされて上下ケースが溶着される。
【００４１】
これと同時に上ケース１の防水リブ（上ケース側）１２，下ケース２の防水リブ（下ケース側）９も溶着され、ＵＳＢ端子４をその他の回路から隔てる防水壁構造が形成される。ＵＳＢ基板６とメイン基板７の間はジャンパー線８によって結線されているため、このジャンパー線８を通す穴を形成するために防水リブ（上ケース側）１２，防水リブ（下ケース側）９の突き当て端面には切欠き溝が設けられており上下ケースの組立完成後には図７に示すように孔の断面積Ｓ２はジャンパー線８の断面積Ｓ１と等しく（Ｓ１＝Ｓ２）なるように設定されている。
【００４２】
これは、ジャンパー線８と防水リブの孔の間に隙間が生じて、水漏れを発生させないためのものである。
【００４３】
いま誤って水がＡＣアダプターに掛かった場合、水はＵＳＢ端子４の接続開口部からＵＳＢ端子４の内部に進入する。ＵＳＢ端子４には接続するＵＳＢプラグとの接続保持のためにそのハウジングに板バネが形成されている。
【００４４】
このためＵＳＢ端子４のハウジングにはＵＳＢ側面孔１５があり、ＵＳＢ端子４内に進入した水はＵＳＢ側面孔１５を通過してＵＳＢ基板６上へ流れる。
【００４５】
ここで防水リブ（上ケース側）１２，防水リブ（下ケース側）９の溶着によって形成された防水壁があるために水はＵＳＢ基板６を伝わって下ケース２の底面へ流れ落ち、下ケース２のＵＳＢ端子４の直下位置に設けられた排水孔１４からＡＣアダプターの外部へ排出される。
【００４６】
以上のように本発明によればＵＳＢ端子接続開口部へ万一水が掛かった場合でも、ＡＣアダプターの１次回路側への水の進入を防止できるＡＣアダプターを提供することができるものである。
【産業上の利用可能性】
【００４７】
本発明にかかるＡＣアダプターは、ＵＳＢ端子接続開口部から進入した水はＵＳＢ端子のハウジングにあいているＵＳＢ側面孔を通過しても防水壁で流れが遮断されるため回路基板上の１次回路へ到達することがなくなり、回路基板上の１次回路へ水が到達することによる回路ショートを防止することが可能となり、発熱や回路故障の心配がなくなるため、ＵＳＢ端子を有するＡＣアダプターとして有用である。
【符号の説明】
【００４８】
１    上ケース
２    下ケース
３    ＡＣプラグ栓刃
４    ＵＳＢ端子
５    接続端子
６    ＵＳＢ基板
７    メイン基板
８    ジャンパー線
９    防水リブ（下ケース側）
１０  溶着リブ
１１  基板固定リブ（下ケース側）
１２  防水リブ（上ケース側）
１３  基板固定リブ（上ケース側）
１４  排水孔
１５  ＵＳＢ側面孔
１６  １次回路
１７  ２次回路
１８  水の進路
１９  切欠き溝（上ケース側）
２０  切欠き溝（下ケース側）
２１  上ケース
２２  下ケース
２３  ＡＣプラグ栓刃
２４  ＵＳＢ端子
２５  接続端子
２６  回路基板
２７  １次回路
２８  ２次回路
２９  ＵＳＢ側面孔
３０  溶着リブ
３１  基板押えリブ（上ケース側）
３２  基板押えリブ（下ケース側）
３３  水の進路
【図１】
2013016288.tif 000003
【図２】
2013016288.tif 000004
【図３】
2013016288.tif 000005
【図４】
2013016288.tif 000006
【図５】
2013016288.tif 000007
【図６】
2013016288.tif 000008
【図７】
2013016288.tif 000009
【図８】
2013016288.tif 000010
【図９】
2013016288.tif 000011
【図１０】
2013016288.tif 000012
【図１１】
2013016288.tif 000013